(57)【要約】【課題】利用者にとって有益な情報を従来システムと比較してより提供できる可能性が高い情報検索システム、端末、サーバ、プログラム、及び記録媒体を提供する。【解決手段】本発明によれば、セマンティックＷｅｂの概念を考慮し、提供情報に意味情報を付加する機構を備えた情報検索システムにおいて、企業、店舗、及びイベントが配信する情報を検索する第１の検索手段を備えたことことにより、利用者が必要とする有益な情報に到達できる可能性を高めることができる。その理由は、セマンティックWebの概念を適用しているためである。具体的には、システムが提供する情報に情報提供者の情報を付随させ、利用者が情報提供者群を検索対象として選択することが可能としているためである。【選択図】図１
2007265282.tif 000002
【特許請求の範囲】
【請求項１】
セマンティックＷｅｂの概念を考慮し、提供情報に意味情報を付加する機構を備えた情報検索システムにおいて、企業、店舗、及びイベントが配信する情報を検索する第１の検索手段を備えたことを特徴とする情報検索システム。
【請求項２】
利用者による企業情報、店舗情報、及びイベント情報を投稿する投稿手段をさらに備えたことを特徴とする請求項１記載の情報検索システム。
【請求項３】
友人登録を行う友人登録手段と、該友人登録手段に登録された友人からの友人登録者投稿情報のみを対象として検索する第２の検索手段とをさらに備えたことを特徴とする請求項１または２記載の情報検索システム。
【請求項４】
検索対象範囲として企業、店舗、及びイベントが配信している情報を検索する第１の検索手段と、
検索対象情報範囲として友人登録者投稿情報のみを検索する第２の検索手段と、
検索対象情報範囲として利用者投稿情報を検索する第３の検索手段とを備えたことを特徴とする請求項１から３のいずれか１項記載の情報検索システム。
【請求項５】
検索対象情報範囲として現在地点、駅名、住所、スポット名等の位置情報を検索対象として検索する第４の検索手段をさらに備えたことを特徴とする請求項１から４のいずれか１項記載の情報検索システム。
【請求項６】
利用者が利用者間関係を定義し、定義された関係に応じた投稿情報の検索範囲限定化を可能とすることを特徴とする請求項１から５のいずれか１項記載の情報検索システム。
【請求項７】
利用者端末からの入力を受信し、インターネットやイントラネットなどを含むネットワークを介して、情報検索、情報投稿を行うことを特徴とする請求項１から６のいずれか１項記載の情報検索システム。
【請求項８】
情報投稿に際して情報提供を促進させるべく、投稿者にポイントを付与及び加算する付与加算手段を備えたことを特徴とする請求項１から７のいずれか１項記載の情報検索システム。
【請求項９】
広告媒体として、利用者による閲覧の回数に応じた広告料を企業、店舗、もしくはイベント関係者に支払うべく金額を算出する第１の算出手段を備えたことを特徴とする請求項１から７のいずれか１項記載の情報検索システム。
【請求項１０】
広告媒体として、検索システムを通じて企業、店舗、及びイベントに参加した数に応じた広告料を企業、店舗、もしくはイベント関係者に支払うべく金額を算出する第２の算出手段を備えたことを特徴とする請求項１から７のいずれか１項記載の情報検索システム。
【請求項１１】
セマンティックＷｅｂの概念を考慮し、提供情報に意味情報を付加する機構を備えた情報検索システムに用いられる端末において、インターネットやイントラネットなどを含むネットワークに接続する接続手段と、利用者が情報を入力するための入力手段と、画像を端末画面に描画する描画手段とを備えたことを特徴とする端末。
【請求項１２】
セマンティックＷｅｂの概念を考慮し、提供情報に意味情報を付加する機構を備えた情報検索システムに用いられるサーバにおいて、データベースから投稿情報や企業、店舗、及びイベントからの配信情報を検索する検索手段と、
該データベースに投稿情報を登録する第１の登録手段と、
利用者間の友人関係情報を登録する第２の登録手段と、
利用者を承認する利用者承認手段とを備えたことを特徴とするサーバ。
【請求項１３】
セマンティックＷｅｂの概念を考慮し、提供情報に意味情報を付加する機構を備えた情報検索システムのコンピュータが情報検索処理を実行させるプログラムにおいて、
前記コンピュータに、企業、店舗、及びイベントが配信する情報を検索する第１の検索処理を実行させることを特徴とするプログラム。
【請求項１４】
前記コンピュータに、利用者による企業情報、店舗情報、及びイベント情報を投稿する投稿処理をさらに実行させることを特徴とする請求項１３記載のプログラム。
【請求項１５】
前記コンピュータに、友人登録を行う友人登録処理と、該友人登録処理により登録された友人からの友人登録者投稿情報のみを対象として検索する第２の検索処理とをさらに実行させることを特徴とする請求項１３または１４記載のプログラム。
【請求項１６】
前記コンピュータに、検索対象範囲として企業、店舗、及びイベントが配信している情報を検索する第１の検索処理と、
検索対象情報範囲として友人登録者投稿情報のみを検索する第２の検索処理と、
検索対象情報範囲として利用者投稿情報を検索する第３の検索処理とをさらに実行させることを特徴とする請求項１３から１５のいずれか１項記載のプログラム。
【請求項１７】
前記コンピュータに、検索対象情報範囲として現在地点、駅名、住所、スポット名等の位置情報を検索対象として検索する第４の検索処理をさらに実行させることを特徴とする請求項１３から１６のいずれか１項記載のプログラム。
【請求項１８】
前記コンピュータに、利用者が利用者間関係を定義し、定義された関係に応じた投稿情報の検索範囲限定化を可能とする処理を実行させることを特徴とする請求項１３から１７のいずれか１項記載のプログラム。
【請求項１９】
前記コンピュータに、利用者端末からの入力を受信し、インターネットやイントラネットなどを含むネットワークを介して、情報検索、情報投稿を行う処理を実行させることを特徴とする請求項１３から１８のいずれか１項記載のプログラム。
【請求項２０】
前記コンピュータに、情報投稿に際して情報提供を促進させるべく、投稿者にポイントを付与及び加算する付与加算処理を実行させることを特徴とする請求項１３から１９のいずれか１項記載のプログラム。
【請求項２１】
前記コンピュータに、広告媒体として、利用者による閲覧の回数に応じた広告料を企業、店舗、もしくはイベント関係者に支払うべく金額を算出する第１の算出処理を実行させることを特徴とする請求項１３から１９のいずれか１項記載のプログラム。
【請求項２２】
前記コンピュータに、広告媒体として、検索システムを通じて企業、店舗、及びイベントに参加した数に応じた広告料を企業、店舗、もしくはイベント関係者に支払うべく金額を算出する第２の算出処理を実行させることを特徴とする請求項１３から１９のいずれか１項記載のプログラム。
【請求項２３】
請求項１７から２２のいずれか１項記載のプログラムを記録したことを特徴とする記録媒体。
【発明の詳細な説明】
【技術分野】
【０００１】
本発明は、情報検索システム、端末、サーバ、プログラム、及び記録媒体に関し、特にセマンティックＷｅｂの概念を適用した情報検索システム、端末、サーバ、プログラム、及び記録媒体に関する。
【背景技術】
【０００２】
従来の情報検索システムの一例が、特許文献１に記載されている。
図８に示すように、この従来の情報検索システムは、利用者がサービスの提供を受けたい場所（以後「サービス期待位置」と呼ぶ）の経度、緯度、住所又は固定電話の電話番号の何れか一つを入力する入力手段と、サービスの情報を取得するシステムと、各種情報を格納しているデータベースとで構成されている。
【０００３】
このような構成を有する従来の情報検索システムはつぎのように動作する。
すなわち、この情報検索システムは、利用者がサービスを必要とする地域を特定する因子（経度・緯度、住所又は固定電話の電話番号）を入力し、システムに登録済みであるサービスが提供される位置との差分（直線距離）を計算し、距離の近いものから順に表示させるシステムである。
【０００４】
また、別の情報提供システムの一例が、特許文献２に記載されている。
図９に示すように、この従来の情報提供システムは、利用者の現在位置情報と、必要とする情報に関する属性から有益な情報を検索するシステムと、これらの各種情報を格納しているデータベースとで構成されている。
【０００５】
このような構成を有する従来の情報検索システムはつぎのように動作する。
この情報検索システムは、利用者が現在の位置情報を取得し、その近郊に存在する地点に関する情報を提供する。
【特許文献１】特開２００４−２６５３６４号公報
【特許文献２】特開２００４−３４１８６１号公報
【発明の開示】
【発明が解決しようとする課題】
【０００６】
しかしながら、上述した従来技術には以下のような問題がある。
前者のシステムでは、(i)サービス期待位置の詳細な位置情報因子（経度・緯度、住所又は固定電話の電話番号）が必要であること、(ii)また提供されるサービスに関する情報はサービス提供側からの一方的なものであるため安心して利用できるような信頼のおける情報であるとは限らないこと、(iii)検索結果件数が多くの場合、件数が過大となり必要とする情報に到達するために更なる情報選定が必要となる場合や、情報が一つも抽出できない場合が多々発生すること(iv)等の課題が挙げられる。
【０００７】
後者のシステムでは、利用者の現在地近郊に属する情報のみ提供されるものであり、利用者が必要とする任意の地域に属する情報を取得することができない。
【０００８】
すなわち、第１の問題点は、検索対象の情報がサービス提供者からの一方的な情報に限られているため、利用者にとって信頼のおける情報の取得が困難という点である。インターネットなどの通信ネットワークを介した検索の場合、サービス提供者からの一方的な提供情報を検索対象として検索するため、多くの場合、検索結果件数が非常に多く、その中からさらに情報を選定する作業が必要となっている。
【０００９】
その理由は、提供される情報の発信源を検索対象条件に選択することが不可能な情報検索システムとなっているためである。
【００１０】
第２の問題点は、利用者が必要とする任意の地点の情報について、あいまいな入力を容認した形の検索を行うことが可能なシステムがないということである。
【００１１】
その理由は、検索対象範囲に存在する情報件数が非常に多いため、迅速な検索結果を提供する目的で、提供される情報の地域情報を元にシステム側が検索対象範囲を絞って検索を行っているためである。
【００１２】
そこで、本発明の目的は、利用者にとって有益な情報を従来システムと比較してより提供できる可能性が高い情報検索システム、端末、サーバ、プログラム、及び記録媒体を提供することにある。
【課題を解決するための手段】
【００１３】
上記課題を解決するために、請求項１記載の発明は、セマンティックＷｅｂの概念を考慮し、提供情報に意味情報を付加する機構を備えた情報検索システムにおいて、企業、店舗、及びイベントが配信する情報を検索する第１の検索手段を備えたことを特徴とする情報検索システム。企業、店舗、及びイベントが配信する情報を検索する第１の検索手段を備えたことを特徴とする。
【００１４】
請求項１記載の発明によれば、セマンティックＷｅｂの概念を考慮し、提供情報に意味情報を付加する機構を備えた情報検索システムにおいて、企業、店舗、及びイベントが配信する情報を検索する第１の検索手段を備えたことにより、検索対象の情報がサービス提供者からの一方的な情報ではなくなり、あいまいな入力が容認されるので、利用者にとって有益な情報を従来システムと比較してより提供できる可能性が高くなる。
【００１５】
ここで、セマンティックＷｅｂとは、膨大なＷｅｂページの中から、ユーザが求めている情報を探し出しやすくするために、検索性能の向上や利便性を高める次世代Ｗｅｂ技術である。Ｗｅｂサイトを記述しているＨＴＭＬは、コンテンツ（内容）を表示するための言語であるが、コンピュータがページに記述されている情報の意味を解釈するための「メタデータ（意味づけされた情報）」を付加することで、それまではＷｅｂの性質上困難であった情報の検索を飛躍的に向上させるのがセマンティックＷｅｂである。
【００１６】
セマンティックＷｅｂは、「メタデータ」と「オントロジー」という２つの技術を基盤としている。メタデータとは、「ページの内容を説明する付加情報」を指し、オントロジーとは、「メタデータを記述する用語の定義」を指している。
【００１７】
一例を挙げると、Ｗｅｂの中から「今日診断してもらえる府中の内科医」を探そうとしたとき、従来の検索では、ページを単語の集まりとしか捉えていないため、「内科医」というキーワードでは「内科」、「クリニック」等の類似語を探し出すことことができない。また、「今日」を仮に「月曜日」に変えても「月曜休診」の内科医が検索結果に表れても不思議ではない。また、「府中」も東京都ではなく、広島県の府中内科が検索されるかもしれない。このように、ページ内の単語だけの世界では、情報の書き方がまちまちで効率的に必要な情報にたどり着くことが難しかった。
【００１８】
現在、インターネット上には１００億ＵＲＬ以上のＷｅｂサイトが存在しており、この数は増加し続けている。こうした中、セマンティックＷｅｂは、メタデータとオントロジーという技術を軸に、ページ内容の５Ｗ１Ｈのような意味的情報を整理し、現在のＷｅｂを、より便利なものにしていこうという目的で研究開発が進められている。
【００１９】
請求項２記載の発明は、請求項１記載の発明において、利用者による企業情報、店舗情報、及びイベント情報を投稿する投稿手段をさらに備えたことを特徴とする。
【００２０】
請求項２記載の発明によれば、投稿手段をさらに備えることにより、検索対象の情報がサービス提供者からの一方的な情報ではなくなり、あいまいな入力が容認されるので、利用者にとって有益な情報を従来システムと比較してより提供できる可能性がより高くなる。
【００２１】
請求項３記載の発明は、請求項１または２記載の発明において、友人登録を行う友人登録手段と、該友人登録手段に登録された友人からの友人登録者投稿情報のみを対象として検索する第２の検索手段とをさらに備えたことを特徴とする。
【００２２】
請求項３記載の発明によれば、友人登録手段と第２の検索手段とを備えたことにより、検索対象の情報がサービス提供者からの一方的な情報ではなくなり、あいまいな入力が容認されるので、利用者にとって有益な情報を従来システムと比較してより提供できる可能性がより高くなる。
【００２３】
請求項４記載の発明は、請求項１から３のいずれか１項記載の発明において、検索対象範囲として企業、店舗、及びイベントが配信している情報を検索する第１の検索手段と、検索対象情報範囲として友人登録者投稿情報のみを検索する第２の検索手段と、検索対象情報範囲として利用者投稿情報を検索する第３の検索手段とを備えたことを特徴とする。
【００２４】
請求項４記載の発明によれば、第１の検索手段、第２の検索手段、及び第３の検索手段を備えたことにより、検索対象の情報がサービス提供者からの一方的な情報ではなくなり、あいまいな入力が容認されるので、利用者にとって有益な情報を従来システムと比較してより提供できる可能性がより高くなる。
【００２５】
請求項５記載の発明は、請求項１から４のいずれか１項記載の発明において、検索対象情報範囲として現在地点、駅名、住所、スポット名等の位置情報を検索対象として検索する第４の検索手段をさらに備えたことを特徴とする。
【００２６】
請求項５記載の発明によれば、第４の検索手段をさらに備えたことにより、検索対象の情報がサービス提供者からの一方的な情報ではなくなり、あいまいな入力が容認されるので、利用者にとって有益な情報を従来システムと比較してより提供できる可能性がより高くなる。
【００２７】
請求項６記載の発明は、請求項１から５のいずれか１項記載の発明において、利用者が利用者間関係を定義し、定義された関係に応じた投稿情報の検索範囲限定化を可能とすることを特徴とする。
【００２８】
請求項６記載の発明によれば、利用者が利用者関係を定義し、定義された関係に応じた投稿情報の検索限定化を可能とすることにより、検索対象の情報がサービス提供者からの一方的な情報ではなくなり、あいまいな入力が容認されるので、利用者にとって有益な情報を従来システムと比較してより提供できる可能性がより高くなる。
【００２９】
請求項７記載の発明は、請求項１から６のいずれか１項記載の発明において、利用者端末からの入力を受信し、インターネットやイントラネットなどを含むネットワークを介して、情報検索、情報投稿を行うことを特徴とする。
【００３０】
請求項７記載の発明によれば、利用者端末からの入力を受信し、ネットワークを介して情報検索、情報投稿を行うことにより、検索対象の情報がサービス提供者からの一方的な情報ではなくなり、あいまいな入力が容認されるので、利用者にとって有益な情報を従来システムと比較してより提供できる可能性がより高くなる。
【００３１】
請求項８記載の発明は、請求項１から７のいずれか１項記載の発明において、情報投稿に際して情報提供を促進させるべく、投稿者にポイントを付与及び加算する付与加算手段を備えたことを特徴とする。
【００３２】
請求項８記載の発明によれば、付与加算手段を備えたことにより、投稿者の投稿意欲を増加させることになり、提供情報量が増加するので、検索対象の情報がサービス提供者からの一方的な情報ではなくなり、あいまいな入力が容認されるので、利用者にとって有益な情報を従来システムと比較してより提供できる可能性がより高くなる。
【００３３】
請求項９記載の発明は、請求項１から７のいずれか１項の発明において、広告媒体として、利用者による閲覧の回数に応じた広告料を企業、店舗、もしくはイベント関係者に支払うべく金額を算出する第１の算出手段を備えたことを特徴とする。
【００３４】
請求項９記載の発明によれば、第１の算出手段を備えたことにより、検索対象の情報がサービス提供者からの一方的な情報ではなくなり、あいまいな入力が容認されるので、利用者にとって有益な情報を従来システムと比較してより提供できる可能性がより高くなる。
【００３５】
請求項１０記載の発明は、請求項１から７のいずれか１項記載の発明において、広告媒体として、検索システムを通じて企業、店舗、及びイベントに参加した数に応じた広告料を企業、店舗、もしくはイベント関係者に支払うべく金額を算出する第２の算出手段を備えたことを特徴とする。
【００３６】
請求項１０記載の発明によれば、第２の算出手段を備えたことにより、検索対象の情報がサービス提供者からの一方的な情報ではなくなり、あいまいな入力が容認されるので、利用者にとって有益な情報を従来システムと比較してより提供できる可能性がより高くなる。
【００３７】
請求項１１記載の発明は、セマンティックＷｅｂの概念を考慮し、提供情報に意味情報を付加する機構を備えた情報検索システムに用いられる端末において、インターネットやイントラネットなどを含むネットワークに接続する接続手段と、利用者が情報を入力するための入力手段と、画像を端末画面に描画する描画手段とを備えたことを特徴とする。
【００３８】
請求項１１記載の発明によれば、接続端末、入力手段、及び描画手段を備えたことにより、検索対象の情報がサービス提供者からの一方的な情報ではなくなり、あいまいな入力が容認されるので、利用者にとって有益な情報を従来システムと比較してより提供できる可能性がより高くなる。
【００３９】
請求項１２記載の発明は、セマンティックＷｅｂの概念を考慮し、提供情報に意味情報を付加する機構を備えた情報検索システムに用いられるサーバにおいて、データベースから投稿情報や企業、店舗、及びイベントからの配信情報を検索する検索手段と、該データベースに投稿情報を登録する第１の登録手段と、利用者間の友人関係情報を登録する第２の登録手段と、利用者を承認する利用者承認手段とを備えたことを特徴とする。
【００４０】
請求項１２記載の発明によれば、検索手段、第１の登録手段、第２の登録手段、及び利用者承認手段を備えたことにより、検索対象の情報がサービス提供者からの一方的な情報ではなくなり、あいまいな入力が容認されるので、利用者にとって有益な情報を従来システムと比較してより提供できる可能性がより高くなる。
【００４１】
請求項１３記載の発明は、セマンティックＷｅｂの概念を考慮し、提供情報に意味情報を付加する機構を備えた情報検索システムのコンピュータが情報検索処理を実行させるプログラムにおいて、前記コンピュータに、企業、店舗、及びイベントが配信する情報を検索する第１の検索処理を実行させることを特徴とする。
【００４２】
請求項１３記載の発明によれば、第１の検索処理を行うことにより、検索対象の情報がサービス提供者からの一方的な情報ではなくなり、あいまいな入力が容認されるので、利用者にとって有益な情報を従来システムと比較してより提供できる可能性が高くなる。
【００４３】
請求項１４記載の発明は、請求項１３記載の発明において、前記コンピュータに、利用者による企業情報、店舗情報、及びイベント情報を投稿する投稿処理をさらに実行させることを特徴とする。
【００４４】
請求項１４記載の発明によれば、投稿処理を行うことにより、検索対象の情報がサービス提供者からの一方的な情報ではなくなり、あいまいな入力が容認されるので、利用者にとって有益な情報を従来システムと比較してより提供できる可能性がより高くなる。
【００４５】
請求項１５記載の発明は、請求項１３または１４記載の発明において、前記コンピュータに、友人登録を行う友人登録処理と、該友人登録処理により登録された友人からの友人登録者投稿情報のみを対象として検索する第２の検索処理とをさらに実行させることを特徴とする。
【００４６】
請求項１５記載の発明によれば、友人登録処理、第２の検索処理をさらに行うことにより、検索対象の情報がサービス提供者からの一方的な情報ではなくなり、あいまいな入力が容認されるので、利用者にとって有益な情報を従来システムと比較してより提供できる可能性がより高くなる。
【００４７】
請求項１６記載の発明は、請求項１３から１５のいずれか１項記載の発明において、前記コンピュータに、検索対象範囲として企業、店舗、及びイベントが配信している情報を検索する第１の検索処理と、検索対象情報範囲として友人登録者投稿情報のみを検索する第２の検索処理と、検索対象情報範囲として利用者投稿情報を検索する第３の検索処理とをさらに実行させることを特徴とする。
【００４８】
請求項１６記載の発明によれば、第１の検索処理、第２の検索処理、及び第３の検索処理を行うことにより、検索対象の情報がサービス提供者からの一方的な情報ではなくなり、あいまいな入力が容認されるので、利用者にとって有益な情報を従来システムと比較してより提供できる可能性がより高くなる。
【００４９】
請求項１７記載の発明は、請求項１３から１６のいずれか１項記載の発明において、前記コンピュータに、検索対象情報範囲として現在地点、駅名、住所、スポット名等の位置情報を検索対象として検索する第４の検索処理をさらに実行させることを特徴とする。
【００５０】
請求項１７記載の発明によれば、第４の検索手段をさらに行うことにより、検索対象の情報がサービス提供者からの一方的な情報ではなくなり、あいまいな入力が容認されるので、利用者にとって有益な情報を従来システムと比較してより提供できる可能性がより高くなる。
【００５１】
請求項１８記載の発明は、請求項１３から１７のいずれか１項記載の発明において、前記コンピュータに、利用者が利用者間関係を定義し、定義された関係に応じた投稿情報の検索範囲限定化を可能とする処理を実行させることを特徴とする。
【００５２】
請求項１８記載の発明によれば、利用者が利用者間関係を定義し、定義された関係に応じた投稿情報の検索限定化を可能とする処理をさらに行うことにより、検索対象の情報がサービス提供者からの一方的な情報ではなくなり、あいまいな入力が容認されるので、利用者にとって有益な情報を従来システムと比較してより提供できる可能性がより高くなる。
【００５３】
請求項１９記載の発明は、請求項１３から１８のいずれか１項記載の発明において、前記コンピュータに、利用者端末からの入力を受信し、インターネットやイントラネットなどを含むネットワークを介して、情報検索、情報投稿を行う処理を実行させることを特徴とする。
【００５４】
請求項１９記載の発明によれば、利用者端末からの入力を受信し、ネットワークを介して情報検索、情報投稿をさらに行うことにより、検索対象の情報がサービス提供者からの一方的な情報ではなくなり、あいまいな入力が容認されるので、利用者にとって有益な情報を従来システムと比較してより提供できる可能性がより高くなる。
【００５５】
請求項２０記載の発明は、請求項１３から１９のいずれか１項記載の発明において、前記コンピュータに、情報投稿に際して情報提供を促進させるべく、投稿者にポイントを付与及び加算する付与加算処理を実行させることを特徴とする。
【００５６】
請求項２０に記載の発明によれば、付与加算処理を行うことにより、投稿者の投稿意欲が増大し、情報量が増大し、検索対象の情報がサービス提供者からの一方的な情報ではなくなり、あいまいな入力が容認されるので、利用者にとって有益な情報を従来システムと比較してより提供できる可能性がより高くなる。
【００５７】
請求項２１記載の発明は、請求項１３から１９のいずれか１項記載の発明において、前記コンピュータに、広告媒体として、利用者による閲覧の回数に応じた広告料を企業、店舗、もしくはイベント関係者に支払うべく金額を算出する第１の算出処理を実行させることを特徴とする。
【００５８】
請求項２１記載の発明によれば、第１の算出処理をさらに行うことにより、検索対象の情報がサービス提供者からの一方的な情報ではなくなり、あいまいな入力が容認されるので、利用者にとって有益な情報を従来システムと比較してより提供できる可能性がより高くなる。
【００５９】
請求項２２記載の発明は、請求項１３から１９のいずれか１項記載の発明において、前記コンピュータに、広告媒体として、検索システムを通じて企業、店舗、及びイベントに参加した数に応じた広告料を企業、店舗、もしくはイベント関係者に支払うべく金額を算出する第２の算出処理を実行させることを特徴とする。
【００６０】
請求項２２記載の発明によれば、第２の算出処理をさら行うことにより、検索対象の情報がサービス提供者からの一方的な情報ではなくなり、あいまいな入力が容認されるので、利用者にとって有益な情報を従来システムと比較してより提供できる可能性がより高くなる。
【００６１】
請求項２３記載の発明は、請求項１７から２２のいずれか１項記載のプログラムを記録した記録媒体であることを特徴とする。
【００６２】
請求項２３記載の発明によれば、その記録媒体を用いることにより、検索対象の情報がサービス提供者からの一方的な情報ではなくなり、あいまいな入力が容認されるので、利用者にとって有益な情報を従来システムと比較してより提供できる可能性が高くなる。
【発明の効果】
【００６３】
本発明によれば、セマンティックＷｅｂの概念を考慮し、提供情報に意味情報を付加する機構を備えた情報検索システムにおいて、企業、店舗、及びイベントが配信する情報を検索する第１の検索手段を備えたことにより、利用者が必要とする有益な情報に到達できる可能性を高めることができる。その理由は、セマンティックWebの概念を適用しているためである。
【００６４】
具体的には、システムが提供する情報に情報提供者の情報を付随させ、利用者が情報提供者群を検索対象として選択することが可能としているためである。他利用者からの投稿情報に対する検索や友人登録をしている利用者からの投稿情報に限定した検索を行うことで検索対象集団を事前に絞り込み、より信頼性の高い情報に到達しやすくなるためである。
【発明を実施するための最良の形態】
【００６５】
次に、発明を実施するための最良の形態について図面を参照して詳細に説明する。
図１は、本発明に係る情報検索システムの一実施の形態を示す概念図である（図中、ＤＢはデータベースである）。
図１を参照すると、本発明に係る第１の実施の形態は、プログラム制御により動作するコンピュータ１００（データ配信サーバ）、１０１（情報検索サーバ）、１０２（投稿情報登録サーバ）、及び１０３（配信情報登録サーバ）と、利用者端末１０４の位置を特定する位置情報取得サーバ１０５と、各種情報を格納するデータベース１０６（システム基本情報データベース）、データベース１０７（利用者関係状況データベース）と、データベース１０８（利用者投稿情報データベース）と、データベース１０９（企業、店舗、及びイベントマスタデータベース）と、データベース１１０（企業配信情報データベース）とで構成されている。
【００６６】
システム基本情報データベース１０６は、例えば表１に示すようなテーブルを有し、利用者関係状況データベース１０７は、例えば表２に示すようなテーブルを有する。利用者投稿情報データベース１０８は、例えば表３に示すようなテーブルを有し、企業、店舗、及びイベントマスタデータベース１０９は、例えば表４、表５、及び表６に示すようなテーブルを有する。表４は投稿対象マスタを示し、表５はスポットＩＤマスタを示し、表６はカテゴリＩＤマスタを示す。企業配信情報データベース１１０は、例えば表７に示すようなテーブルを有する。
【００６７】
【表１】
2007265282.tif 000003
【００６８】
【表２】
2007265282.tif 000004
【００６９】
【表３】
2007265282.tif 000005
【００７０】
【表４】
2007265282.tif 000006
【００７１】
【表５】
2007265282.tif 000007
【００７２】
【表６】
2007265282.tif 000008
【００７３】
【表７】
2007265282.tif 000009
【００７４】
コンピュータ１００は、本システムにおいて利用者との情報の授受を担当するコンピュータである。コンピュータ１００は、利用者が本発明により作成されたシステムにログインするログイン手段２０１と、利用者からの検索条件入力を受け検索をスタートさせるスタート手段２０２と、利用者が投稿した情報を登録する登録手段２０３と、利用者の現在位置の情報を位置情報取得サーバ１０５より取得する取得手段２０４とを担当する。
【００７５】
コンピュータ１０１は、本システムにおいて検索機能を担当するコンピュータである。コンピュータ１００より受信した検索条件に基づいて企業が配信した情報をデータベース１０９、１１０から検索する第１の検索手段２０５と、利用者が登録した情報をデータベース１０８、１０９から検索する第３の検索手段２０６と、利用者間の関係をデータベース１０７から検索し友人一覧リストを作成する作成手段、および友人登録を行う友人登録手段２０７とを担当する。
尚、第３の検索手段２０６は、友人登録手段２０７に登録された友人からの友人登録者投稿情報のみを対象として検索する際には第２の検索手段となる。
【００７６】
コンピュータ１０２は、本システムにおいて利用者が投稿した情報をデータベース１０８に登録する機能を担当するコンピュータである。コンピュータ１０２は、データベース１０８に利用者が投稿した情報を投稿する投稿手段２０８を担当する。
コンピュータ１０３は、本システムにおいて企業、店舗、及びイベント関係者が各種情報を登録するために利用するコンピュータである。コンピュータ１０３は、データベース１１０に企業、店舗、及びイベント情報を登録する登録手段２０９を担当する。
【００７７】
利用者端末１０４は、インターネットなどの通信ネットワークにアクセスできる端末とする。
位置情報取得サーバ１０５は、利用者端末１０４の位置を、GPS機能を用いて検出し、コンピュータ１００にその情報を返信するコンピュータである。位置情報取得サーバ１０５は、利用者端末１０４の位置を、GPS機能を用いて検出し、コンピュータ１００にその情報を返信する返信手段２１０を担当する。
データベース１０６は、図１０に示すように、利用者のユーザID・パスワードの情報など利用者に関する情報を保持する。
【００７８】
データベース１０７は、図１１に示すように、利用者間の友人登録状況の情報を保持する。すなわち、データベース１０７は、どの利用者間が友人として登録されているかの情報を保持する。このデータベースを活用することで、ある利用者が友人と設定している複数の利用者の投稿情報のみを検索対象として絞りこむことが可能となる。
データベース１０８は、図１２に示すように、利用者が投稿した企業情報、店舗情報、及びイベント情報などの情報を保持する。
データベース１０９は、図１３に示すように、地域カテゴリリスト、情報ジャンルカテゴリリスト、企業・店舗・イベントリストなどの情報を保持する。
データベース１１０は、図１４に示すように、企業が配信した企業・店舗・イベントなどの情報を保持する。利用者が友人の投稿情報だけでなく、広く情報を検索したい場合にこのデータベースにある情報を利用する。
【００７９】
これらの手段はそれぞれ概略つぎのように動作する。
ログイン手段２０１は、利用者が本システムにアクセスした際に、個人を特定するために利用者に付与されているユーザIDと利用者が独自に設定しているパスワードとを入力させ、利用者を本システムにおいて特定するための手段である。
【００８０】
スタート手段２０２は、利用者が検索したい情報に関するキーワードを入力させ、その入力値によりコンピュータ１０１に検索を実行させる手段である。
【００８１】
登録手段２０３は、利用者が投稿する情報をフォーマット（図６）に入力させデータベース１０８に登録する手段である。
【００８２】
取得手段２０４は、利用者の現在位置を特定するために位置情報取得サーバ１０５に利用者端末の現在地点情報を提供させる手段である。
【００８３】
第１の検索手段２０５は、コンピュータ１０１がコンピュータ１００より受信した検索条件に基づいて企業が配信した情報をシステム基本情報データベース１０６や企業配信情報データベース１１０から検索する手段である。
【００８４】
第３の検索手段２０６は、コンピュータ１０１が利用者が投稿した情報を検索範囲としてデータベース１０６、１０８から検索する手段である。
【００８５】
友人登録手段２０７は、コンピュータ１０１が利用者間の関係をデータベース１０７から検索し友人登録されているユーザIDの一覧リストを作成する手段、および友人登録を行う手段である。
【００８６】
投稿手段２０８は、コンピュータ１０２がコンピュータ１００より受信した利用者が投稿した情報をデータベース１０８に保存する手段である。
【００８７】
登録手段２０９は、コンピュータ１０３が企業、店舗、及びイベント広告担当が入力した企業情報、店舗情報、及びイベント情報をデータベース１１０に登録する手段である。
【００８８】
返信手段２１０は、位置情報取得サーバ１０５が利用者端末１０４の位置をGPS機能を用いて検出する手段である。
【００８９】
次に、図２、及び図３のフローチャートを参照して本実施の形態の特徴的な「情報検索」の流れについて詳細に説明する。
まず、利用者は、利用者端末１０４からデータ配信サーバ１００にアクセスする（図２のステップ１）。
次に、データ配信サーバ１００は利用者端末１０４にログイン用ページを転送する（図２のステップ２）。
利用者は、利用者端末１０４に、ログインするためにIDとパスワードとを入力し、送信する（図２のステップ３）。
【００９０】
データ配信サーバ１００は、受け取ったIDとパスワードの情報と同一のものがシステム基本情報データベース１０６に存在するか否かの利用者承認を行う（図２のステップ４）。
データ配信サーバ１００は、IDとパスワードの情報とが一致したものがあった場合は、その利用者であるとして承認し、その利用者用のトップページを利用者端末１０４へ転送する（図２のステップ５）。
情報検索を行うため、利用者が情報検索のリンクを選択する（図３のステップ１）。
データ配信サーバ１００は、情報検索用のフォームを返信する（図３のステップ２）。
【００９１】
ここで、検索用フォームの一例を図４に示す。
同図に示す検索画面には、例えば、検索情報種別、検索地域、検索対象、フリーワード、地域検索フリーワード、及び検索スイッチが示されている。
図には示されていないカーソルを用いて選択し、マウスでクリックすることにより検索することができる。
【００９２】
図３は、本発明の特徴である「友人登録者投稿情報の中から現在位置に関する情報を検索した場合」を示している。
利用者は、検索したい情報の種別（イベント、飲食店、各種店舗等）、フリーワード、地域情報（駅名、住所、スポット名、現在位置）および検索情報範囲（友人登録者投稿情報、利用者投稿情報、企業、店舗、イベント関係者からの情報）を入力し、送信する（図３のステップ３）。
データ配信サーバ１００は、利用者端末１０４の発信位置を位置情報取得サーバ１０５から取得する（図３のステップ４）。
ステップ４で取得した位置情報およびステップ３で入力された検索内容を検索サーバ１０１に転送し、検索させる（図３のステップ５）。
【００９３】
検索サーバ１０１は、利用者関係状況データベース１０７から利用者の友人登録されている他利用者のID一覧を作成する（図３のステップ６）。
ステップ６で作成されたIDをキーとして、利用者投稿情報データベース１０８より投稿情報を検索する（図３のステップ７）。
ステップ７で得られた検索結果を、データ配信サーバ１００を介して、利用者端末１０４へ配信する（図３のステップ８）。
利用者は、利用者端末１０４に表示された検索結果を閲覧し、さらに詳細情報を得たい場合は、データ配信サーバ１００より詳細情報を取得する（図３のステップ９）。
【００９４】
次に、図２及び図５のフローチャートを参照して本実施の形態の特徴的な「情報投稿」の流れについて詳細に説明する。
まず、利用者は利用者端末１０４からシステムにログインする（図２、詳細なフローは前述）。
利用者が情報投稿を行うため、利用者が情報投稿のリンクを選択する（図５のステップ１）。
データ配信サーバ１００は、情報投稿用のフォームを返信する（図５のステップ２）。
【００９５】
ここで、投稿対象検索フォームの一例を図６に示す。
利用者は、投稿対象についての情報を利用者端末１０４に入力し、検索を行う（図５のステップ３）。
データ配信サーバ１００は、検索内容を検索サーバ１０１に送信し、検索させる（図５のステップ４）。
検索サーバ１０１は、企業、店舗、イベントマスタデータベース１０９から投稿対象の企業、店舗、イベントのIDを検索する（図５のステップ５）。
検索サーバ１０は、データ配信サーバ１００に投稿対象に関する情報を送信する（図５のステップ６）。
データ配信サーバ１００は、投稿対象に関する情報と投稿内容入力フォームとを返信する（図５のステップ７）。
【００９６】
ここで、投稿内容入力フォームの一例を図７に示す。
同図に示す投稿内容入力画面には、投稿対象、キーワード、投稿文、及び投稿スイッチが示されている。
利用者は、投稿対象に関する投稿内容を利用者端末１０４に入力し、システムに投稿する（図５のステップ８）。
データ配信サーバ１００は、投稿情報登録サーバ１０２を介して、利用者投稿情報データベース１０８へ投稿された情報を保存する（図５のステップ９）。
【００９７】
次に、本実施の形態の効果について説明する。
本実施の形態では、企業、店舗、イベント関係者から配信された情報のみを扱うのではなく、利用者からの投稿情報も検索対象と設定可能なように構成されているため、企業側からの一方的な情報提供だけでなく、一般利用者からの信頼がおける投稿情報を検索でき、有用な情報を得る可能性を高めることができる。
【００９８】
また、本実施の形態では、上記の構成に加えてセマンティックWebの概念を適用し、利用者間の友人関係を登録し、友人関係にある他利用者からの投稿情報のみを検索対象として設定可能なように構成されているため、一般利用者からの投稿検索よりもさらに信頼度が高い情報に到達できる。
【００９９】
＜プログラム及び記憶媒体＞
以上で説明した本発明の端末及びサーバは、コンピュータで情報検索処理を実行させるプログラムによって実現されている。コンピュータとしては。例えばパーソナルコンピュータやワークステーションなどの汎用的なものが挙げられるが、本発明はこれに限定されるものではない。
【０１００】
これにより、プログラムが実行可能なコンピュータ環境さえあれば、どこにおいても本発明の端末及びサーバを実現することができる。
このようなプログラムは、コンピュータに読み取り可能な記録媒体に記憶されていてもよい。
【０１０１】
ここで、記録媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記録媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【０１０２】
なお、上述した実施の形態は、本発明の好適な実施の形態の一例を示すものであり、本発明はそれに限定されることなく、その要旨を逸脱しない範囲内において、種々変形実施が可能である。
【０１０３】
〔発明の効果〕
以上において、本発明によれば、利用者が必要とする有益な情報に到達できる可能性を高めることができる。その理由は、セマンティックWebの概念を適用しているためである。具体的には、システムが提供する情報に情報提供者の情報を付随させ、利用者が情報提供者群を検索対象として選択することが可能としているためである。他利用者からの投稿情報に対する検索や友人登録をしている利用者からの投稿情報に限定した検索を行うことで検索対象集団を事前に絞り込み、より信頼性の高い情報に到達しやすくなるためである。
【産業上の利用可能性】
【０１０４】
本発明によれば、利用者が求める情報に到達する可能性が高まるため、必要としている利用者のみに向けた広告媒体として、ページの閲覧数や実際の訪問数を基準とした広告料を支払う形式として適用することで効果的な広告効果を見込むといった用途に適用できる。
【０１０５】
また、ある地域に関する情報を投稿しておき、その利用者IDを旅行者などに向けて、広く公開し一時的に友人登録を行うことで、その地域の情報を確実に必要としている利用者への効果的な広告効果が見込める地域振興用の情報配信といった用途にも適用可能である。
【図面の簡単な説明】
【０１０６】
【図１】本発明に係る情報検索システムの一実施の形態を示す概念図である。
【図２】本発明に係る情報検索システムの動作を示すフローチャートの一例である。
【図３】本発明に係る情報検索システムの動作を示すフローチャートの一例である。
【図４】本発明に係る情報検索システムの検索用フォームの一例である。
【図５】本発明に係る情報検索システムの動作を示すフローチャートの一例である。
【図６】本発明に係る情報検索システムの投稿対象検索フォームの一例である。
【図７】本発明に係る情報検索システムの投稿対象検索フォームの一例である。
【図８】情報検索システムの従来例である。
【図９】情報提供システムの他の従来例である。
【符号の説明】
【０１０７】
１００    データ配信サーバ
１０１    検索サーバ
１０３    配信情報登録サーバ
１０６    システム基本情報データベース
１０７    利用者関係状況データベース
１０８    利用者投稿情報データベース
１０９    企業、店舗、及びイベントマスタデータベース
１１０    企業配信情報データベース
２０８    投稿情報登録サーバ
２１０    位置情報取得サーバ
【図１】
2007265282.tif 000010
【図２】
2007265282.tif 000011
【図３】
2007265282.tif 000012
【図４】
2007265282.tif 000013
【図５】
2007265282.tif 000014
【図６】
2007265282.tif 000015
【図７】
2007265282.tif 000016
【図８】
2007265282.tif 000017
【図９】
2007265282.tif 000018